(57)【要約】 【課題】  子機の利便性が向上された電話装置を提供する。【解決手段】  電話装置１は、通信回線２に接続される親機３と、親機３に接続され、親機３を介して通信回線２に接続される３つの子機４ａ〜４ｃとを含み、親機３および各子機４ａ〜４ｃに対して共通に用いられる共通電話番号と、各子機４ａ〜４ｃに対して個別に用いられる個別電話番号とを有する。各子機４ａ〜４ｃのメモリ部１７には、共通電話番号の着信に対して、各子機４ａ〜４ｃの制御部１８によって実行されるべき処理が、呼び出しを行う呼出処理および呼び出しを行わない非呼出処理のいずれであるかを示す着信処理設定情報が記憶される。各子機４ａ〜４ｃの制御部１８は、共通電話番号の着信があったとき、各子機４ａ〜４ｃのメモリ部１７に記憶される着信処理設定情報に基づいて、呼出処理および非呼出処理のいずれか１つを実行する。【選択図】      図１
2005244811.tif 000002
【特許請求の範囲】
【請求項１】
通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
共通電話番号の着信に対して、子機の制御手段によって実行されるべき処理が、呼び出しを行う呼出処理および呼び出しを行わない非呼出処理のいずれであるかを示す着信処理設定情報を記憶する設定情報記憶手段を備え、
子機の制御手段は、共通電話番号の着信があったとき、設定情報記憶手段に記憶される着信処理設定情報に基づいて、呼出処理および非呼出処理のいずれか１つを実行することを特徴とする電話装置。
【請求項２】
予め定める通信網を用いて音声通信する電話装置であって、
１つの電話機に関して、複数の予め定める音声通信登録情報を登録することによって、通話状態にある電話機に着信があったとき、前記通話に用いられる音声通信登録情報以外の他の音声通信登録情報による通信を確立して、所定の代替応答処理を実行することを特徴とする電話装置。
【請求項３】
通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
通話状態における着信に対して、子機の制御手段によって実行されるべき処理が、所定の代替応答処理、所定の着信履歴記録処理、および所定の非応答処理のいずれであるかを示す着信処理設定情報を記憶する設定情報記憶手段を備え、
子機の制御手段は、通話状態における着信があったとき、設定情報記憶手段に記憶される着信処理設定情報に基づいて、代替応答処理、着信履歴記録処理および非応答処理のいずれか１つを実行することを特徴とする電話装置。
【請求項４】
通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
電話番号毎に、着信に対して、子機の制御手段によって実行されるべき処理が、複数の予め定める処理のいずれであるかを示す着信処理設定情報を記憶する設定情報記憶手段を備え、
子機の制御手段は、着信があったとき、設定情報記憶手段に記憶される着信処理設定情報と、着信時に通知された発信者電話番号とに基づいて、前記複数の予め定める処理のいずれか１つを実行することを特徴とする電話装置。
【請求項５】
通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
着信に対して、子機の制御手段によって実行されるべき処理が、複数の予め定める処理のいずれであるかを示す着信処理設定情報を記憶する設定情報記憶手段を備え、
子機の制御手段は、着信があったとき、設定情報記憶手段に記憶される着信処理設定情報に基づいて、前記複数の予め定める処理のいずれか１つを実行することを特徴とする電話装置。
【発明の詳細な説明】
【技術分野】
【０００１】
本発明は、通信回線に接続される親機と、親機に接続され、親機を介して通信回線に接続される子機とを含む電話装置に関し、さらに詳しくは、親機および子機に対して共通に用いられる共通電話番号と、子機に対して個別に用いられる個別電話番号とを有する電話装置に関する。
【背景技術】
【０００２】
第１の従来の技術は、特許文献１に記載されている。特許文献１の通信システムでは、相手側装置の電話番号が親機の第１電話番号エリアに記憶され、その電話番号を入力した子機が登録装置エリアに記憶される。第１電話番号エリアに記憶される電話番号の相手側装置から着呼があると、その電話番号に対応して登録装置エリアに記憶される装置からのみ、呼出音が鳴動される。
【０００３】
第２の従来の技術は、特許文献２に記載されている。特許文献２の無線電話装置では、子機によって、親機電話番号記憶部に子機関連情報があらかじめ登録される。発信者の電話番号が検出されると、検出された発信者の電話番号と前記子機関連情報とが比較され、検出された発信者の電話番号に対応する子機が存在するか否かの判定が行われ、対応する子機が存在する場合には対応する子機の呼び出しが行われる。
【０００４】
第３の従来の技術は、特許文献３に記載されている。特許文献３のコードレス電話装置では、子機内のメモリに、電話帳情報が記憶される。親機からの信号で着信があったことが報知されたとき、子機内のメモリに記憶された電話番号情報に、着信番号と一致する電話番号があるか否かが判断され、着信番号と一致する電話番号の記憶がない場合には、この子機での自動応答は行われない。
【０００５】
【特許文献１】特開２０００−１３４３２４号公報
【特許文献２】特開２００１−２０３７９７号公報
【特許文献３】特開２００１−５３８６６号公報
【発明の開示】
【発明が解決しようとする課題】
【０００６】
前記第１〜第３の従来の技術は、いずれも、親機と、この親機に無線によって接続される複数の子機とを含むコードレス電話装置に関する技術である。これらの第１〜第３の従来の技術は、公衆交換電話網（Public Switched Telephone Network、略称ＰＳＴＮ）を用いて、１回線で１通話を行うことを前提とするものである。
【０００７】
近年、ＡＤＳＬ（Asymmetric Digital Subscriber Line）などを用いるＩＰ（Internet
Protocol）電話を組み合わせることによって、１回線で複数の音声通信を行うことが可能となっている。また、各子機毎に個別の電話番号（０５０番号）を割り振ることができるようになっている。
【０００８】
このような電話装置では、各子機が別々のユーザによって使用されることが想定される。そのため、各子機の着信処理が、親機の設定にゆだねられることなく、各子機で設定可能であることが望まれる。たとえば、親番号の着信に対して呼び出しを行うか否かが、各子機毎に設定可能であることが望まれる。また、通話状態における着信に対して代替応答するか否かが、各子機毎に設定可能であることが望まれる。
【０００９】
したがって本発明の目的は、子機の利便性が向上された電話装置を提供することである。
【課題を解決するための手段】
【００１０】
本発明は、通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
共通電話番号の着信に対して、子機の制御手段によって実行されるべき処理が、呼び出しを行う呼出処理および呼び出しを行わない非呼出処理のいずれであるかを示す着信処理設定情報を記憶する設定情報記憶手段を備え、
子機の制御手段は、共通電話番号の着信があったとき、設定情報記憶手段に記憶される着信処理設定情報に基づいて、呼出処理および非呼出処理のいずれか１つを実行することを特徴とする電話装置である。
【００１１】
また本発明は、予め定める通信網を用いて音声通信する電話装置であって、
１つの電話機に関して、複数の予め定める音声通信登録情報を登録することによって、通話状態にある電話機に着信があったとき、前記通話に用いられる音声通信登録情報以外の他の音声通信登録情報による通信を確立して、所定の代替応答処理を実行することを特徴とする電話装置である。
【００１２】
また本発明は、通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
通話状態における着信に対して、子機の制御手段によって実行されるべき処理が、所定の代替応答処理、所定の着信履歴記録処理、および所定の非応答処理のいずれであるかを示す着信処理設定情報を記憶する設定情報記憶手段を備え、
子機の制御手段は、通話状態における着信があったとき、設定情報記憶手段に記憶される着信処理設定情報に基づいて、代替応答処理、着信履歴記録処理および非応答処理のいずれか１つを実行することを特徴とする電話装置である。
【００１３】
また本発明は、通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
電話番号毎に、着信に対して、子機の制御手段によって実行されるべき処理が、複数の予め定める処理のいずれであるかを示す着信処理設定情報を記憶する設定情報記憶手段を備え、
子機の制御手段は、着信があったとき、設定情報記憶手段に記憶される着信処理設定情報と、着信時に通知された発信者電話番号とに基づいて、前記複数の予め定める処理のいずれか１つを実行することを特徴とする電話装置である。
【００１４】
また本発明は、通信回線に接続される親機と、親機に接続され、親機を介して通信回線に接続される子機とを含み、親機および子機に対して共通に用いられる共通電話番号と、子機に対して個別に用いられる個別電話番号とを有し、親機および子機は、所定の着信処理を実行する制御手段をそれぞれ備える電話装置であって、
着信に対して、子機の制御手段によって実行されるべき処理が、複数の予め定める処理のいずれであるかを示す着信処理設定情報を記憶する設定情報記憶手段を備え、
子機の制御手段は、着信があったとき、設定情報記憶手段に記憶される着信処理設定情報に基づいて、前記複数の予め定める処理のいずれか１つを実行することを特徴とする電話装置である。
【発明の効果】
【００１５】
本発明によれば、設定情報記憶手段には、共通電話番号の着信に対して、子機の制御手段によって実行されるべき処理が、呼出処理および非呼出処理のいずれであるかを示す着信処理設定情報が記憶される。共通電話番号の着信があったとき、子機の制御手段は、設定情報記憶手段に記憶される着信処理設定情報に基づいて、呼出処理および非呼出処理のいずれか１つを実行する。このような子機では、着信処理設定情報を変更することによって、共通電話番号の着信に対して、呼び出しを行うか否かを切換えることができる。これによって、子機の利便性を向上することができる。
【００１６】
詳細に述べると、子機を使用するユーザが、共通電話番号の着信に対して呼び出しを必要とする場合は、実行されるべき処理を呼出処理に設定することによって、共通電話番号の着信があったときに、子機で呼び出しを行うようにすることができる。また、子機を使用するユーザが、共通電話番号の着信に対して呼び出しを不必要とする場合は、実行されるべき処理を非呼出処理に設定することによって、共通電話番号の着信があったときに、子機で呼び出しを行わないようにすることができる。
【００１７】
このように子機を使用するユーザの要求に応じて、共通電話番号の着信に対して子機で呼び出しを行うか否かを切換えることができる。換言すると、親機の設定に拘わらず、共通電話番号の着信に対して子機で呼び出しを行うか否かを設定することができる。これによって子機の使い勝手を向上し、子機の利便性を向上することができる。
【００１８】
また本発明によれば、１つの電話機に関して、複数の予め定める音声通信登録情報を登録することによって、通話状態にある電話機に着信があったとき、前記通話に用いられる音声通信登録情報以外の他の音声通信登録情報による通信を確立して、所定の代替応答処理を実行する。このように電話装置で所定の代替応答処理を実行するので、電話装置による通信に用いられる通信プロトコルに代替応答機能がなくても、代替応答機能を実現することができ、利便性を向上することができる。
【００１９】
また本発明によれば、設定情報記憶手段には、通話状態における着信に対して、子機の制御手段によって実行されるべき処理が、所定の代替応答処理、所定の着信履歴記録処理、および所定の非応答処理のいずれであるかを示す着信処理設定情報が記憶される。通話状態における着信があったとき、子機の制御手段は、設定情報記憶手段に記憶される着信処理設定情報に基づいて、代替応答処理、着信履歴記録処理および非応答処理のいずれか１つを実行する。
【００２０】
このような子機では、子機を使用するユーザの要求に応じて、着信処理設定情報を変更することによって、通話状態における着信に対して、子機の制御手段によって実行されるべき処理を、代替応答処理、着信履歴記録処理および非応答処理のいずれかに切換えることができる。換言すると、親機の設定に拘わらず、通話状態における着信に対して子機の制御手段によって実行されるべき処理を、代替応答処理、着信履歴記録処理および非応答処理のいずれか１つに設定することができる。これによって子機の使い勝手を向上し、子機の利便性を向上することができる。
【００２１】
また本発明によれば、設定情報記憶手段には、電話番号毎に、着信に対して、子機の制御手段によって実行されるべき処理が、複数の予め定める処理のいずれであるかを示す着信処理設定情報が記憶される。着信があったとき、子機の制御手段は、設定情報記憶手段に記憶される着信処理設定情報と、着信時に通知された発信者電話番号とに基づいて、前記複数の予め定める処理のいずれか１つを実行する。
【００２２】
このような子機では、子機を使用するユーザの要求に応じて、着信処理設定情報を変更することによって、着信に対して、子機の制御手段によって実行されるべき処理を、前記複数の予め定める処理のいずれかに切換えることができる。換言すると、親機の設定に拘わらず、着信に対して子機の制御手段によって実行されるべき処理を、前記複数の予め定める処理のいずれか１つに設定することができる。しかも本発明では、電話番号毎に、子機の制御手段によって実行されるべき処理を設定することができる。つまり、着信に対して子機の制御手段によって実行されるべき処理を、より細かく設定することができる。これによって子機の使い勝手を向上し、子機の利便性を向上することができる。
【００２３】
また本発明によれば、設定情報記憶手段には、着信に対して、子機の制御手段によって実行されるべき処理が、複数の予め定める処理のいずれであるかを示す着信処理設定情報が記憶される。着信があったとき、子機の制御手段は、設定情報記憶手段に記憶される着信処理設定情報に基づいて、前記複数の予め定める処理のいずれか１つを実行する。
【００２４】
このような子機では、子機を使用するユーザの要求に応じて、着信処理設定情報を変更することによって、着信に対して、子機の制御手段によって実行されるべき処理を、前記複数の予め定める処理のいずれかに切換えることができる。換言すると、親機の設定に拘わらず、着信に対して子機の制御手段によって実行されるべき処理を、前記複数の予め定める処理のいずれか１つに設定することができる。これによって子機の使い勝手を向上し、子機の利便性を向上することができる。
【発明を実施するための最良の形態】
【００２５】
図１は、本発明の実施の第１の形態の電話装置１の構成を示すブロック図である。図２は、電話装置１の模式図である。本実施の形態の電話装置１は、予め定める通信網であるＩＰ（Internet Protocol）ネットワークを用いて音声通信を行うＩＰ電話装置である。
【００２６】
電話装置１は、センター側でＩＰ電話制御を行うＣＡ（Call Agent）から、接続要求（
Create Connection；ＣＲＣＸ）を受けると、後述の着信処理を行う。接続要求は、発信者が選択した電話番号である選択電話番号に関する情報と、発信者の電話番号である発信者電話番号に関する情報とを含む。本実施の形態においては、接続要求を受けることを、着信ということがある。
【００２７】
電話装置１は、通信回線２に接続される親機３と、親機３に無線によって接続され、親機３を介して通信回線２に接続される複数、本実施の形態では３つの子機４ａ〜４ｃとを含む。親機３には、各子機４ａ〜４ｃに関する情報が予め登録される。
【００２８】
親機３は、ｘＤＳＬ（Digital Subscriber Line）、たとえばＡＤＳＬ（Asymmetric
Digital Subscriber Line）を用いてＩＰネットワークに接続される。本実施の形態では、親機３およびＣＡ間の通信プロトコルとして、ＭＧＣＰ（Media Gateway control
protocol）が用いられる。また、親機３および子機４ａ〜４ｃ間の通信プロトコルとして、ＭＧＣＰが用いられる。
【００２９】
電話装置１は、親機３および各子機４ａ〜４ｃに対して共通に用いられる共通電話番号と、各子機４ａ〜４ｃに対して個別に用いられる個別電話番号とを有する。共通電話番号に着信があった場合、親機３および各子機４ａ〜４ｃで着信がある。また、個別電話番号に着信があった場合、各子機４ａ〜４ｃのうち、個別電話番号に対応する子機で着信がある。前記共通電話番号は、公衆交換電話網（Public Switched telephone Network、略称ＰＳＴＮ）を用いるＰＳＴＮ電話およびＩＰネットワークを用いるＩＰ電話に対して、共通に用いられる。
表１は、親機３および各子機４ａ〜４ｃに割り振られる電話番号の一例を示す。
【００３０】
【表１】
2005244811.tif 000003
【００３１】
親機３は、通信回線２に接続される回線部６と、電話番号などの情報を入力する操作部７と、電話番号などの情報を表示する表示部８と、音声信号を入力するマイクおよび音声信号を出力するスピーカを有する送受話部９と、各子機４ａ〜４ｃと無線によって通信するための無線部１０と、前記各部を制御する制御手段である制御部１１とを備える。
【００３２】
親機３の制御部１１は、制御プログラムを記憶する記憶手段であるＲＯＭ（Read Only
Memory）と、ＲＯＭに記憶される制御プログラムを実行する中央演算処理装置（Central
Processing Unit、略称ＣＰＵ）とを含んで構成される。
【００３３】
本実施の形態においては、各子機４ａ〜４ｃは、相互に同様の構成であるので、対応する部分には、同一の符号を付す。また、各子機４ａ〜４ｃに対して、共通の符号「４」を付すことがある。
【００３４】
各子機４ａ〜４ｃは、電話番号などの情報を入力する操作部１３と、電話番号などの情報を表示する表示部１４と、音声信号を入力するマイクおよび音声信号を出力するスピーカを有する送受話部１５と、親機３と無線によって通信するための無線部１６と、設定情報記憶手段であるメモリ部１７と、前記各部を制御する制御手段である制御部１８とを備える。
【００３５】
各子機４ａ〜４ｃの制御部１８は、制御プログラムを記憶する記憶手段であるＲＯＭ（
Read Only Memory）と、ＲＯＭに記憶される制御プログラムを実行する中央演算処理装置（Central Processing Unit、略称ＣＰＵ）とを含んで構成される。各子機４ａ〜４ｃのメモリ部１７は、たとえば書換え可能な記憶手段、たとえばフラッシュメモリによって実現される。
【００３６】
本実施の形態では、各子機４ａ〜４ｃの制御部１８は、待機状態における共通電話番号の着信に対して、呼び出しを行う呼出処理および呼び出しを行わない非呼出処理のいずれか１つを選択的に実行する。各子機４ａ〜４ｃのメモリ部１７には、待機状態における共通電話番号の着信に対して、各子機４ａ〜４ｃの制御部１８によって実行されるべき処理が、呼出処理および非呼出処理のいずれであるかを示す着信処理設定情報が記憶される。
【００３７】
各子機４ａ〜４ｃの制御部１８は、待機状態において、共通電話番号の着信があったとき、メモリ部１７に記憶される着信処理設定情報に基づいて、呼出処理および非呼出処理のいずれか１つを実行する。各子機４ａ〜４ｃのメモリ部１７に記憶される着信処理設定情報は、たとえばユーザが各子機４ａ〜４ｃの操作部１３を操作することによって、変更可能である。
【００３８】
図３は、親機３から接続要求２１を受けたときに子機４の制御部１８が実行する着信処理を説明するためのフローチャートである。図４は、共通電話番号の着信に関するシーケンス図である。図５は、個別電話番号の着信に関するシーケンス図である。各子機４ａ〜４ｃの制御部１８が親機３から接続要求２１を受けたときに実行する着信処理は、相互に同様である。
【００３９】
子機４の制御部１８は、親機３から接続要求２１を受けて着信すると、ステップａ０で、着信処理を開始する。着信処理を開始した後、ステップａ１で、子機４の制御部１８は、親機３からの接続要求２１に含まれる選択電話番号に関する情報を用いて、着信が共通電話番号の着信か否かを判断する。
【００４０】
前記ステップａ１において、着信が共通電話番号の着信ではないと判断したとき、ステップａ２で、子機４の制御部１８は、成功のＡＣＫ（Acknowledge）信号２２を親機３に送る。この後、ステップａ３で、子機４の制御部１８は、親機３から呼出音発生要求（
Notification Request；ＲＱＮＴ）２３を受けたか否かを判断する。前記ステップａ３において、親機３から呼出音発生要求２３を受けたと判断したとき、ステップａ４で、子機４の制御部１８は、その子機４に設けられる呼出手段である呼出音用スピーカ（図示せず）に、呼出音を発生させる。この後、ステップａ５で、子機４の制御部１８は、成功のＡＣＫ２４を親機３に送り、ステップａ６で、子機４の制御部１８は、着信処理を終了する。
【００４１】
前記ステップａ５において、成功のＡＣＫ信号２４を親機３に送り、前記ステップａ６において、着信処理を終了した後、ユーザによって所定のフッキング操作が行われると、子機４の制御部１８は、オフフックされたことを示すＮＴＦＹ（Notify）を、親機３を介してＣＡに送る。ＣＡは、ＮＴＦＹを受けると、成功のＡＣＫ信号を、親機３を介して子機４に送る。子機４の制御部１８は、ＣＡから成功のＡＣＫ信号を受けると、音声通信を開始する。
【００４２】
前記ステップａ１において、着信が共通電話番号の着信であると判断したとき、ステップａ７で、子機４の制御部１８は、その子機４のメモリ部１７に記憶される着信処理設定情報を参照する。このステップａ７では、子機４の制御部１８は、着信処理設定情報に基づいて、共通電話番号の着信に対して、呼出処理および非呼出処理のいずれを実行するように設定されているかを判断する。
【００４３】
前記ステップａ７において、呼出処理を実行するように設定されていると判断したとき、前記ステップａ２に進む。呼出処理は、前記ステップａ２〜ａ５の処理に相当する。前記ステップａ７において非呼出処理を実行するように設定されていると判断したとき、ステップａ８で、子機４の制御部１８は、成功のＡＣＫ信号２２に代えて、着信が受けられない状態であることを示すＡＣＫ信号を親機３に送り、前記ステップａ６に進む。非呼出処理は、前記ステップａ８の処理に相当する。前記ステップａ８において、着信が受けられない状態であることを示すＡＣＫ信号を親機３に送り、前記ステップａ６において、着信処理を終了すると、待機状態に移る。
【００４４】
図６は、ＣＡから接続要求２６を受けたときに親機３の制御部１１が実行する着信処理を説明するためのフローチャートである。親機３の制御部１１は、ＣＡから接続要求２６を受けて着信すると、ステップｂ０で、着信処理を開始する。着信処理を開始した後、ステップｂ１で、親機３の制御部１１は、ＣＡからの接続要求２６に含まれる選択電話番号に関する情報を用いて、着信が共通電話番号の着信か否かを判断する。
【００４５】
前記ステップｂ１において、着信が共通電話番号の着信ではないと判断したとき、ステップｂ２で、親機３の制御部１１は、成功のＡＣＫ信号２７をＣＡに送る。この後、ステップｂ３で、親機３の制御部１１は、ＣＡから呼出音発生要求２８を受けたか否かを判断する。前記ステップｂ３において、ＣＡから呼出音発生要求２８を受けたと判断したとき、ステップｂ４で、親機３の制御部１１は、その親機３に設けられる呼出手段である呼出音用スピーカ（図示せず）に、呼出音を発生させる。この後、ステップｂ５で、親機３の制御部１１は、成功のＡＣＫ信号２９をＣＡに送る。次のステップｂ６で、親機３の制御部１１は、後述の図７に示す第１着信通知処理を実行する。この後、ステップｂ７で、親機３の制御部１１は、着信処理を終了する。
【００４６】
前記ステップｂ１において、着信が共通電話番号の着信であると判断したとき、ステップｂ８で、親機３の制御部１１は、後述の図８に示す第２着信通知処理を実行する。この後、前記ステップｂ７に進む。
【００４７】
図７は、親機３の制御部１１が実行する第１着信通知処理を説明するためのフローチャートである。図４も併せて参照して、親機３の制御部１１は、前記図６のステップｂ５において、成功のＡＣＫ信号２９をＣＡに送ると、ステップｂ１０で、第１着信通知処理を開始する。後述のステップｂ１１〜ｂ１５の処理は、各子機４ａ〜４ｃに対して行われる。
【００４８】
第１着信通知処理を開始した後、ステップｂ１１で、親機３の制御部１１は、接続要求２１を子機４に送る。この後、ステップｂ１２で、親機３の制御部１１は、子機４からＡＣＫ信号２２を受けたか否かを判断する。前記ステップｂ１２において、子機４からＡＣＫ信号２２を受けたと判断したとき、ステップｂ１３で、親機３の制御部１１は、子機４からのＡＣＫ信号２２が成功のＡＣＫ信号か否かを判断する。
【００４９】
前記ステップｂ１３において、子機４からのＡＣＫ信号２２が成功のＡＣＫ信号であると判断したとき、ステップｂ１４で、親機３の制御部１１は、子機４に呼出音発生要求２３を送る。この後、ステップｂ１５で、親機３の制御部１１は、子機４からＡＣＫ信号２４を受けたか否かを判断する。前記ステップｂ１５において、子機４からＡＣＫ信号２４を受けたと判断したとき、ステップｂ１６で、親機３の制御部１１は、第１着信通知処理を終了する。前記ステップｂ１３において、子機４からのＡＣＫ信号２２が成功のＡＣＫ信号ではないと判断したとき、ステップｂ１６に進む。
【００５０】
図８は、親機３の制御部１１が実行する第２着信通知処理を説明するためのフローチャートである。図５も併せて参照して、親機３の制御部１１は、前記図４のステップｂ１において、着信が共通電話番号の着信ではないと判断したとき、ステップｂ２０で、第２着信通知処理を開始する。
【００５１】
第２着信通知処理を開始した後、ステップｂ２１で、親機３の制御部１１は、ＣＡからの接続要求２６に含まれる選択電話番号に対応する子機４に、接続要求２１を送る。以下、第２着信通知処理の説明においては、選択電話番号に対応する子機４を、単に子機４と記載する。
【００５２】
この後、ステップｂ２２で、親機３の制御部１１は、子機４からＡＣＫ信号２２を受けたか否かを判断する。前記ステップｂ２２において、子機４からＡＣＫ信号２２を受けたと判断したとき、ステップｂ２３で、親機３の制御部１１は、子機４からのＡＣＫ信号２２が成功のＡＣＫ信号か否かを判断する。
【００５３】
前記ステップｂ２３において、子機４からのＡＣＫ信号２２が成功のＡＣＫ信号であると判断したとき、ステップｂ２４で、親機３の制御部１１は、成功のＡＣＫ信号２７をＣＡに送る。この後、ステップｂ２５で、親機３の制御部１１は、ＣＡから呼出音発生要求２８を受けたか否かを判断する。前記ステップｂ２５において、ＣＡから呼出音発生要求２８を受けたと判断したとき、ステップｂ２６で、親機３の制御部１１は、呼出音発生要求２３を子機４に送る。
【００５４】
この後、ステップｂ２７で、親機３の制御部１１は、子機４からＡＣＫ信号２４を受けたか否かを判断する。前記ステップｂ２７において、子機４からＡＣＫ信号２４を受けたと判断したとき、ステップｂ２８で、成功のＡＣＫ信号２９をＣＡに送る。この後、ステップｂ２９で、親機３の制御部１１は、第２着信通知処理を終了する。
【００５５】
前記ステップｂ２３において、子機４からのＡＣＫ信号２２が成功のＡＣＫ信号ではないと判断したとき、ステップｂ３０で、親機３の制御部１１は、成功のＡＣＫ信号２７に代えて、着信が受けられない状態であることを示すＡＣＫ信号をＣＡに送り、ステップｂ２９に進む。
【００５６】
このような本実施の形態によれば、子機４のメモリ部１７には、共通電話番号の着信に対して、子機４の制御部１８によって実行されるべき処理が、呼出処理および非呼出処理のいずれであるかを示す着信処理設定情報が記憶される。共通電話番号の着信があったとき、子機４の制御部１８は、メモリ部１７に記憶される着信処理設定情報に基づいて、呼出処理および非呼出処理のいずれか１つを実行する。このような子機４では、着信処理設定情報を変更することによって、共通電話番号の着信に対して、呼び出しを行うか否かを切換えることができる。これによって、子機４の利便性を向上することができる。
【００５７】
詳細に述べると、子機４を使用するユーザが、共通電話番号の着信に対して呼び出しを必要とする場合は、実行されるべき処理を呼出処理に設定することによって、共通電話番号の着信があったときに、子機４で呼び出しを行うようにすることができる。また、子機４を使用するユーザが、共通電話番号の着信に対して呼び出しを不必要とする場合は、実行されるべき処理を非呼出処理に設定することによって、共通電話番号の着信があったときに、子機４で呼び出しを行わないようにすることができる。
【００５８】
このように子機４を使用するユーザの要求に応じて、共通電話番号の着信に対して子機４で呼び出しを行うか否かを切換えることができる。換言すると、親機３の設定に拘わらず、共通電話番号の着信に対して子機４で呼び出しを行うか否かを設定することができる。これによって子機４の使い勝手を向上し、子機４の利便性を向上することができる。
【００５９】
図９は、本発明の実施の第２の形態の電話装置における電話機の音声通信登録情報の登録に関するシーケンス図である。本実施の形態の電話装置は、前述の第１の形態の電話装置１と類似しており、異なる点についてだけ説明して、同様の構成については説明を省略する。本実施の形態において、電話機は、前述の第１の形態の電話装置１における親機３および各子機４ａ〜４ｃに相当する。
【００６０】
本実施の形態では、１つの電話機に関して、複数、たとえば２つの予め定める音声通信登録情報「ａａｌｎ／１」、「ａａｌｎ／２」を登録する。電話機は、利用可能になったことを通知するＲＳＩＰ（Restart In Progress）メッセージをＣＡに送る。ＲＳＩＰメッセージは、音声通信登録情報を含む。電話機が子機である場合、ＲＳＩＰメッセージは、親機を介してＣＡに送られる。
【００６１】
電話機に電源が投入されると、その電話機の制御部は、登録処理を開始する。登録処理を開始すると、電話機の制御部は、第１の音声通信登録情報「ａａｌｎ／１」を含むＲＳＩＰメッセージをＣＡに送る。この後、電話機の制御部は、ＣＡから成功のＡＣＫ信号を受けたか否かを判断する。ＣＡから成功のＡＣＫ信号を受けたと判断したとき、電話機の制御部は、第２の音声通信登録情報「ａａｌｎ／２」を含むＲＳＩＰメッセージをＣＡに送る。この後、電話機の制御部は、ＣＡから成功のＡＣＫ信号を受けたか否かを判断する。ＣＡから成功のＡＣＫ信号を受けたと判断したとき、電話機の制御部は、登録処理を終了する。
【００６２】
図１０は、電話機の制御部が通話状態においてＣＡから接続要求３１を受けたときに実行する着信処理を説明するためのフローチャートである。図１１は、電話機の制御部が代替応答処理を実行するときのシーケンス図である。代替応答処理は、後述のステップｃ１〜ｃ４の処理に相当する。
【００６３】
ＣＡは、電話機において、第１の音声通信登録情報「ａａｌｎ／１」による音声通信が行われているとき、その電話機に対する新たな着信があったとき、第２の音声通信登録情報「ａａｌｎ／２」に関する登録先に接続要求３１を送る。電話機の制御部は、通話状態において接続要求３１を受けて着信すると、ステップｃ０で、着信処理を開始する。着信処理を開始すると、ステップｃ１で、電話機の制御部は、成功のＡＣＫ信号３２をＣＡに送る。この後、ステップｃ２で、電話機の制御部は、ＣＡから呼出音発生要求３３を受けたか否かを判断する。前記ステップｃ２において、ＣＡから呼出音発生要求３３を受けたと判断したとき、ステップｃ３で、電話機の制御部は、その電話機に設けられる呼出音用スピーカに、呼出音を発生させる。このステップｃ３では、電話機の制御部は、新たな着信があることを示す割込音を、送受話部のスピーカに発生させてもよい。この後、ステップｃ４で、電話機の制御部は、成功のＡＣＫ信号３４をＣＡに送り、ステップｃ５で、電話機の制御部は、着信処理を終了する。
【００６４】
着信処理を終了した後、ユーザによって所定のフッキング操作が行われると、電話機の制御部は、オフフックされたことを示すＮＴＦＹ（Notify）３５をＣＡに送る。この後、電話機の制御部は、ＣＡから成功のＡＣＫ信号３６を受けたか否かを判断する。ＣＡから成功のＡＣＫ信号３６を受けたと判断すると、電話機の制御部は、第１の音声通信登録情報「ａａｌｎ／１」による音声通信から第２の音声通信登録情報「ａａｌｎ／２」による音声通信に切り替える。このとき、ＣＡから見ると、２つの音声通信が行われている状態になっている。
【００６５】
このような本実施の形態によれば、１つの電話機に関して、複数の予め定める音声通信登録情報を登録することによって、通話状態にある電話機に着信があったとき、前記通話に用いられる音声通信登録情報以外の他の音声通信登録情報による通信を確立して、所定の代替応答処理を実行する。このように電話装置で所定の代替応答処理を実行するので、電話装置による通信に用いられる通信プロトコルに代替応答機能がなくても、代替応答機能を実現することができ、利便性を向上することができる。
【００６６】
図１２は、本発明の実施の第３の形態の電話装置における子機４の制御部１８が親機３から接続要求を受けたときに実行する着信処理を説明するためのフローチャートである。本実施の形態の電話装置は、前記第１の形態の電話装置１と類似しており、対応する部分には同一の符号を付し、異なる点についてだけ説明して、同様の構成については説明を省略する。本実施の形態の電話装置における各子機４ａ〜４ｃは、着信履歴記録用ＲＡＭ（
Random Access Memory）をさらに備える。また本実施の形態の電話装置における各子機４ａ〜４ｃは、前記第２の形態の電話装置における電話機のように、代替応答処理の実行が可能である。
【００６７】
本実施の形態では、子機４の制御部１８は、通話状態における着信に対して、代替応答処理、着信履歴記録処理および非応答処理のいずれか１つを選択的に実行する。子機４のメモリ部１７には、通話状態における着信に対して、子機４の制御部１８によって実行されるべき処理が、代替応答処理、着信履歴記録処理および非応答処理のいずれであるかを示す着信処理設定情報が記憶される。子機４の制御部１８は、通話状態において、着信があったとき、その子機４のメモリ部１７に記憶される着信処理設定情報を参照して、代替応答処理、着信履歴記録処理および非応答処理のいずれか１つを実行する。子機４のメモリ部１７に記憶される着信処理設定情報は、たとえばユーザが操作部１３を操作することによって、変更可能である。
【００６８】
子機４の制御部１８は、通話状態において、親機３から接続要求を受けて着信すると、ステップｄ０で、着信処理を開始する。着信処理を開始した後、ステップｄ１で、子機４の制御部１８は、その子機４のメモリ部１７に記憶される着信処理設定情報を参照する。このステップｄ１では、子機４の制御部１８は、着信処理設定情報を用いて、通話状態における着信に対して、代替応答処理、着信履歴記録処理および非応答処理のいずれを実行するように設定されているかを判断する。
【００６９】
前記ステップｄ１において、代替応答処理を実行するように設定されていると判断したとき、ステップｄ２で、子機４の制御部１８は、成功のＡＣＫ信号を親機３に送る。この後、ステップｄ３で、親機３から呼出音発生要求を受けたか否かを判断する。前記ステップｄ３において、親機３から呼出音発生要求を受けたと判断したとき、ステップｄ４で、子機４の制御部１８は、その子機に設けられる呼出音用スピーカに、呼出音を発生させる。このステップｄ４では、子機４の制御部１８は、新たな着信があることを示す割込音を、送受話部のスピーカに発生させてもよい。この後、ステップｄ５で、子機４の制御部１８は、成功のＡＣＫ信号を親機３に送り、ステップｄ６で、子機４の制御部１８は、着信処理を終了する。代替応答処理は、前記ステップｄ２〜ｄ５の処理に相当する。
【００７０】
前記ステップｄ１において、着信履歴記録処理を実行するように設定されていると判断したとき、ステップｄ７で、子機４の制御部１８は、親機３からの接続要求に含まれる発信者電話番号に関する情報を、その子機４に設けられる着信履歴記録用ＲＡＭに記憶する。次のステップｄ８で、子機４の制御部１８は、着信が受けられない状態であることを示すＡＣＫ信号を親機３に送り、ステップｄ６に進む。このとき、１通話の音声通信状態に戻る。着信履歴記録処理は、前記ステップｄ７およびｄ８の処理に相当する。
【００７１】
前記ステップｄ１において、非応答処理を実行するように設定されていると判断したとき、ステップｄ８に進む。このとき、１通話の音声通信状態に戻る。非応答処理は、前記ステップｄ８の処理に相当する。
【００７２】
このような本実施の形態によれば、子機４のメモリ部１７には、通話状態における着信に対して、子機４の制御部１８によって実行されるべき処理が、所定の代替応答処理、所定の着信履歴記録処理、および所定の非応答処理のいずれであるかを示す着信処理設定情報が記憶される。通話状態における着信があったとき、子機４の制御部１８は、メモリ部１７に記憶される着信処理設定情報に基づいて、代替応答処理、着信履歴記録処理および非応答処理のいずれか１つを実行する。
【００７３】
このような子機４では、子機４を使用するユーザの要求に応じて、着信処理設定情報を変更することによって、通話状態における着信に対して、子機４の制御部１８によって実行されるべき処理を、代替応答処理、着信履歴記録処理および非応答処理のいずれかに切換えることができる。換言すると、親機３の設定に拘わらず、通話状態における着信に対して子機４の制御部１８によって実行されるべき処理を、代替応答処理、着信履歴記録処理および非応答処理のいずれか１つに設定することができる。これによって子機４の使い勝手を向上し、子機４の利便性を向上することができる。
【００７４】
図１３は、本発明の実施の第４の形態の電話装置１における子機４のメモリ部１７に記憶される着信処理設定情報を示す図である。本実施の形態の電話装置は、前記第１の形態の電話装置１と類似しており、対応する部分には同一の符号を付し、異なる点についてだけ説明して、同様の構成については説明を省略する。
【００７５】
本実施の形態では、各子機４ａ〜４ｃは、着信履歴記録用ＲＡＭ（Random Access
Memory）をさらに備える。各子機４ａ〜４ｃは、前記第２の形態の電話装置における電話機のように、代替応答処理の実行が可能である。子機４のメモリ部１７には、前述の第３の形態の着信処理設定情報が記憶される。
【００７６】
本実施の形態では、各子機４の制御部１８は、待機状態における着信に対して、応答処理、着信履歴記録処理および非応答処理のいずれか１つを選択的に実行する。また子機４の制御部１８は、通話状態における着信に対して、代替応答処理、着信履歴記録処理および非応答処理のいずれか１つを選択的に実行する。前記代替応答処理、着信履歴記録処理、応答処理および非応答処理は、複数の予め定める処理に相当する。
【００７７】
子機４のメモリ部１７には、電話番号毎に、待機状態における着信に対して、子機４の制御部１８によって実行されるべき処理が、応答処理、着信履歴記録処理および非応答処理のいずれであるかと、通話状態における着信に対して、子機４の制御部１８によって実行されるべき処理が、代替応答処理、着信履歴記録処理および非応答処理のいずれであるかとを示す着信処理設定情報がさらに記憶される。換言すると、子機４のメモリ部１７には、電話番号に関する情報４１と、待機状態における着信に対する処理を指定する情報４２と、通話状態における着信に対する処理を指定する情報４３とが、相互に関連付けて記憶されている。
【００７８】
子機４の制御部１８は、待機状態において、着信があったとき、その子機４のメモリ部１７に記憶される着信処理設定情報に基づいて、応答処理、着信履歴記録処理および非応答処理のいずれか１つを実行する。また、子機４の制御部１８は、通信状態において、着信があったとき、その子機４のメモリ部１７に記憶される着信処理設定情報に基づいて、代替応答処理、着信履歴記録処理および非応答処理のいずれか１つを実行する。子機４のメモリ部１７に記憶される着信処理設定情報は、たとえばユーザが操作部を操作することによって、変更可能であり、また追加することも可能である。
【００７９】
図１４は、通話状態において親機３から接続要求を受けたとき子機４の制御部１８による着信処理を説明するためのフローチャートである。子機４の制御部１８は、親機３から接続要求を受けて着信すると、ステップｅ１で、着信処理を開始する。着信処理を開始した後、ステップｅ１で、子機４の制御部１８は、親機３からの接続要求に含まれる発信者電話番号に関する情報を用いて、発信者電話番号に関する情報が着信処理設定情報にあるか否かを判断する。
【００８０】
前記ステップｅ１において、発信者電話番号に関する情報が着信処理設定情報にあると判断したとき、ステップｅ２で、子機４の制御部１８は、その子機４のメモリ部１７に記憶される着信処理設定情報を参照する。このステップｅ２では、子機４の制御部１８は、着信処理設定情報に基づいて、発信者電話番号からの着信に対して、代替応答処理、着信履歴記録処理および非応答処理のいずれを実行するように設定されているかを判断する。
【００８１】
前記ステップｅ２において、代替応答処理を実行するように設定されていると判断したとき、ステップｅ３で、子機４の制御部１８は、成功のＡＣＫ信号を親機３に送る。この後、ステップｅ４で、親機３から呼出音発生要求を受けたか否かを判断する。前記ステップｅ４において、親機３から呼出音発生要求を受けたと判断したとき、ステップｅ５で、子機４の制御部１８は、その子機に設けられる呼出音用スピーカに、呼出音を発生させる。このステップｅ５では、子機４の制御部１８は、新たな着信があることを示す割込音を、送受話部のスピーカに発生させてもよい。この後、ステップｅ６で、子機４の制御部１８は、成功のＡＣＫ信号を親機３に送り、ステップｅ７で、子機４の制御部１８は、着信処理を終了する。代替応答処理は、前記ステップｅ３〜ｅ６の処理に相当する。
【００８２】
前記ステップｅ２において、着信履歴記録処理を実行するように設定されていると判断したとき、ステップｅ８で、子機４の制御部１８は、親機３からの接続要求に含まれる発信者電話番号に関する情報を、その子機に設けられる着信履歴記録用ＲＡＭに記憶する。次のステップｅ９で、子機４の制御部１８は、着信が受けられない状態であることを示すＡＣＫ信号を親機３に送り、ステップｅ７に進む。待機状態通話の音声通信状態に戻る。着信履歴記録処理は、前記ステップｅ８およびｅ９の処理に相当する。
【００８３】
前記ステップｅ２において、非応答処理を実行するように設定されていると判断したとき、ステップｅ９に進む。このとき、１通話の音声通信状態に戻る。非応答処理は、前記ステップｅ９の処理に相当する。
【００８４】
前記ステップｅ１において、発信者電話番号に関する情報が着信処理設定情報にないと判断したとき、ステップｅ１０で、子機４の制御部１８は、前記図１２に示す処理を実行する。この後、ステップｅ７に進む。
【００８５】
このような本実施の形態によれば、子機４のメモリ部１７には、電話番号毎に、着信に対して、子機４の制御部１８によって実行されるべき処理が、複数の予め定める処理のいずれであるかを示す着信処理設定情報が記憶される。着信があったとき、子機４の制御部１８は、メモリ部１７に記憶される着信処理設定情報と、着信時に通知された発信者電話番号とに基づいて、前記複数の予め定める処理のいずれか１つを実行する。
【００８６】
このような子機４では、子機４を使用するユーザの要求に応じて、着信処理設定情報を変更することによって、着信に対して、子機４の制御部１８によって実行されるべき処理を、前記複数の予め定める処理のいずれかに切換えることができる。換言すると、親機３の設定に拘わらず、着信に対して子機４の制御部１８によって実行されるべき処理を、前記複数の予め定める処理のいずれか１つに設定することができる。しかも本実施の形態では、電話番号毎に、子機４の制御部１８によって実行されるべき処理を設定することができる。つまり、着信に対して子機４の制御部１８によって実行されるべき処理を、より細かく設定することができる。これによって子機４の使い勝手を向上し、子機４の利便性を向上することができる。
【００８７】
前述の実施の各形態は、本発明の例示に過ぎず、本発明の範囲内において構成を変更することができる。たとえば前述の実施の各形態では、電話装置１は、複数の子機４ａ〜４ｃを含むけれども、子機４は、１つであってもよい。また、親機３および子機４は、有線によって相互に接続されてもよい。また、親機３およびＣＡ間の通信プロトコルは、ＭＧＣＰに限定されるものではなく、親機３および子機４間の通信プロトコルも、ＭＧＣＰに限定されるものではない。
【００８８】
また、着信に対して子機４の制御部１８が実行可能な複数の予め定める処理は、前述の各処理に限定されるものではない。子機４のメモリ部１７には、着信に対して、子機４の制御部１８によって実行されるべき処理が、複数の予め定める処理のいずれであるかを示す着信処理設定情報が記憶される。着信があったとき、子機４の制御部１８は、メモリ部１７に記憶される着信処理設定情報に基づいて、前記複数の予め定める処理のいずれか１つを実行する。
【００８９】
このような子機４では、子機４を使用するユーザの要求に応じて、着信処理設定情報を変更することによって、着信に対して、子機４の制御部１８によって実行されるべき処理を、前記複数の予め定める処理のいずれかに切換えることができる。換言すると、親機３の設定に拘わらず、着信に対して子機４の制御部１８によって実行されるべき処理を、前記複数の予め定める処理のいずれか１つに設定することができる。これによって子機４の使い勝手を向上し、子機４の利便性を向上するという効果を達成することができる。
【００９０】
また、前述の実施の各形態では、着信処理設定情報を記憶する設定情報記憶手段であるメモリ部１７は、各子機４ａ〜４ｃにそれぞれ設けられるけれども、メモリ部は、親機３に設けられてもよい。着信があったとき、各子機４ａ〜４ｃの制御部１８は、親機３に設けられるメモリ部に記憶される着信処理設定情報に基づいて、前記複数の予め定める処理のいずれか１つを実行する。このような電話装置であっても、子機４では、親機３の設定に拘わらず、子機４を使用するユーザの要求に応じて、着信処理設定情報を変更することによって、着信に対して、前記複数の予め定める処理のいずれを実行するかを切換えることができる。したがって子機４の使い勝手を向上し、子機４の利便性を向上するという効果を達成することができる。
【図面の簡単な説明】
【００９１】
【図１】本発明の実施の第１の形態の電話装置１の構成を示すブロック図である。
【図２】電話装置１の模式図である。
【図３】親機３から接続要求２１を受けたときに子機４の制御部１８が実行する着信処理を説明するためのフローチャートである。
【図４】共通電話番号の着信に関するシーケンス図である。
【図５】個別電話番号の着信に関するシーケンス図である。
【図６】ＣＡから接続要求２６を受けたときに親機３の制御部１１が実行する着信処理を説明するためのフローチャートである。
【図７】親機３の制御部１１が実行する第１着信通知処理を説明するためのフローチャートである。
【図８】親機３の制御部１１が実行する第２着信通知処理を説明するためのフローチャートである。
【図９】本発明の実施の第２の形態の電話装置における電話機の音声通信登録情報の登録に関するシーケンス図である。
【図１０】電話機の制御部が通話状態においてＣＡから接続要求３１を受けたときに実行する着信処理を説明するためのフローチャートである。
【図１１】電話機の制御部が代替応答処理を実行するときのシーケンス図である。
【図１２】本発明の実施の第３の形態の電話装置における子機４の制御部１８が親機３から接続要求を受けたときに実行する着信処理を説明するためのフローチャートである。
【図１３】本発明の実施の第４の形態の電話装置１における子機４のメモリ部１７に記憶される着信処理設定情報を示す図である。
【図１４】通話状態において親機３から接続要求を受けたとき子機４の制御部１８による着信処理を説明するためのフローチャートである。
【符号の説明】
【００９２】
１  電話装置
２  通信回線
３  親機
４，４ａ〜４ｃ  子機
１１  親機３の制御部
１７  メモリ部
１８  子機４の制御部
【図１】
2005244811.tif 000004
【図２】
2005244811.tif 000005
【図３】
2005244811.tif 000006
【図４】
2005244811.tif 000007
【図５】
2005244811.tif 000008
【図６】
2005244811.tif 000009
【図７】
2005244811.tif 000010
【図８】
2005244811.tif 000011
【図９】
2005244811.tif 000012
【図１０】
2005244811.tif 000013
【図１１】
2005244811.tif 000014
【図１２】
2005244811.tif 000015
【図１３】
2005244811.tif 000016
【図１４】
2005244811.tif 000017